(57)【要約】【課題】ヘアキャッチャーを設ける排水トラップに特別な構造を設ける必要が無く、捕集した毛髪等を容易に除去することができ、安定した排水能力を得ることが可能なヘアキャッチャーの提供を課題とする。【解決手段】排水トラップに設けられるヘアキャッチャー１０に、流入した排水を保水する凹状の保水部２０と、該保水部２０の上部から延出し、排水中の毛髪Ｈ１の流出を抑止しながら保水部２０に入りきらない排水を流出させる上部排水流出部３０と、洗い場Ｗ１からの排水を保水部２０へ導く排水導入部４０とを設ける。保水部２０は、排水中の毛髪Ｈ１の流出を抑止しながら排水を流出させる下部排水流出部２２を下部に有し、流入した排水を一時的に保水しながら該排水を下部排水流出部２２から流出させてもよい。【選択図】図３
2011163116.tif 000002
【特許請求の範囲】
【請求項１】
排水トラップに対して着脱可能に設けられるヘアキャッチャーであって、
流入した排水を保水する凹状の保水部と、
該保水部の上部から延出し、排水中の毛髪の流出を抑止しながら前記保水部に入りきらない排水を流出させる上部排水流出部と、
洗い場からの排水を前記保水部へ導く排水導入部とを備えることを特徴とするヘアキャッチャー。
【請求項２】
前記上部排水流出部は、排水中の毛髪の流出を抑止しながら前記保水部に入りきらない排水を流出させる孔群を有することを特徴とする請求項１に記載のヘアキャッチャー。
【請求項３】
前記排水導入部は、前記上部排水流出部の外縁と前記保水部の上部とを繋ぐとともに前記上部排水流出部の孔群同士で挟まれた位置で洗い場からの排水を前記保水部へ通す流入部を有し、
前記流入部を挟む前記上部排水流出部の孔群同士の間隔が前記孔群の孔同士の間隔よりも広くされていることを特徴とする請求項２に記載のヘアキャッチャー。
【発明の詳細な説明】
【技術分野】
【０００１】
本発明は、排水トラップに設けられるヘアキャッチャーに関する。
【背景技術】
【０００２】
浴室の排水トラップには、毛髪を主とするごみ等の異物を排水中から捕集するヘアキャッチャーが着脱可能に設けられている。また、ヘアキャッチャー外で発生させた渦流をヘアキャッチャー内に導入して異物をまとめるようにすることも行われている。
【０００３】
特許文献１には、漏斗型封水筒に設置する深型ヘアキャッチャー内に渦巻き水流を発生させる様に深型ヘアキャッチャーの外側に水向案内部を設けた排水口が記載されている。図１６の（ａ）は漏斗型封水筒９０２及び水向案内部９０３を断面視して同文献に記載された排水口を示す側面図であり、同図（ｂ）は水向案内部９１３を一体化したヘアキャッチャー９１１を示す側面図であり、同図（ｃ）は漏斗型封水筒９０２及び水向案内部９１８を断面視して同文献に記載された排水口を示す側面図である。
同図（ａ）の排水口は、封水筒９０２に排水量調節部品９０４を取り付けて封水筒９０２の穴径を小さくすることにより、水向案内部９０３による右回転の渦巻き水流を封水筒９０２内、すなわち、ヘアキャッチャー９０１外で発生させている。これにより、ヘアキャッチャー９０１内に渦巻き水流が発生するとされている。同排水口は、洗い場からの排水がヘアキャッチャー９０１全体に流入し、全排水が排水量調節部品９０４を通って少しずつ流下することになる。
また、同図（ｂ）の排水口は、ヘアキャッチャー９１１の外側面に水向案内部９１３を一体形成あるいは着脱可能に形成している。同排水口も、水向案内部９１３による右回転の渦巻き水流をヘアキャッチャー９１１外で発生させ、この渦巻き水流をヘアキャッチャー９１１内に導入している。
さらに、同図（ｃ）の排水口は、ヘアキャッチャー９１６の上部位置に水向案内部９１８を配置している。
【０００４】
特許文献２には、排水桝の立面に設けた吐水口から浴槽排水を吐出するようにした排水構造が記載されている。図１６（ｄ）は、同文献に記載された排水構造を示す斜視図である。この排水構造は、排水桝９２３の底面９２３ａの流入口９２４に対してヘアキャッチャー９２５が水平に取り付けられ、吐水口９２１からの浴槽排水の吐出方向が流入口９２４の中心を向いていない。このため、吐水口９２１から吐出された浴槽排水は、渦を描いて流入口９２４へ向かい、ヘアキャッチャー９２５を通過する。
特許文献３には、キッチンのシンクに設けられた排水トラップが記載されている。図１６（ｅ）は、同文献に記載された排水トラップ９３０を示す垂直断面図である。排水トラップ９３０は、水受椀部９３１ａや封水椀部９３１ｂや外周流路部９３１ｃを有するトラップ本体９３１、封水椀部９３１ｂ内に挿入された防臭筒９３２、水受椀部９３１ａ内に配置された網かご９３３、水受椀部９３１ａの上面開口を蓋う蓋体９３４、を備えている。外周流路部９３１ｃや防臭筒９３２や蓋体９３４には、封水椀部９３１ｂ内で一方向に回転する渦流が水流により発生するように排水を案内する排水案内手段が設けられている。シンクから排水トラップ９３０へ流れる排水は、封水椀部９３１ｂ内で渦流が発生するように蓋体９３４で案内され、網かご９３３を通過する。
【先行技術文献】
【特許文献】
【０００５】
【特許文献１】特開２００７−１９８１３０号公報
【特許文献２】特開２００７−４６４２４号公報
【特許文献３】特開２００７−１２００２１号公報
【発明の概要】
【発明が解決しようとする課題】
【０００６】
図１６（ａ）に示す排水口は、洗い場からの排水が全て排水量調節部品９０４を通過するため、排水能力が制限される。このため、同排水口は、浴槽から湯が溢れたとき等、一度に大量の排水が生じたときに十分に排出されないことがある。同図（ｂ）（ｃ）に示すヘアキャッチャー９１１を排水口に用いても、同様である。
また、同図（ａ）（ｂ）に示すヘアキャッチャー９０１，９１１は、外側に水向案内部９０３，９１３が設けられているため、封水筒９０２内で渦巻き水流を発生させるためには封水筒９０２の形状を水向案内部９０３，９１３の形状に合わせなければならない。
さらに、同図（ａ）〜（ｃ）に示すヘアキャッチャー９０１，９１１，９１６は、洗い場からの全排水がヘアキャッチャー全体に流入するため、ヘアキャッチャー全体に毛髪等が付着し、ヘアキャッチャーから毛髪等を除去し難かったり、ヘアキャッチャーが目詰まりしたりすることがある。
【０００７】
図１６（ｄ）に示す排水構造は、渦流を発生させるために浴槽排水が必要であり、かつ、浴槽排水を吐出する吐水口９２１を排水桝９２３に形成する必要がある。また、ヘアキャッチャー９２５が水平に配置され、排水がヘアキャッチャー９２５上で保水されず速やかにヘアキャッチャー９２５全体を通過するようにされているため、毛髪等がヘアキャッチャー全体に絡み付きやすい。このため、ヘアキャッチャーから毛髪等を除去し難かったり、ヘアキャッチャーが目詰まりしたりすることがある。
【０００８】
図１６（ｅ）に示す排水トラップ９３０は、浴室ではなくキッチンに設けられるため、ヘアキャッチャーではなく網かご９３３を用いている。また、排水が網かご９３３内で保水されず速やかに網かご９３３全体を通過するようにされているため、仮に毛髪等が流された場合には、その毛髪等が網かご全体に絡み付きやすい。このため、網かごから毛髪等を除去し難かったり、網かごが目詰まりしたりすることがある。
【０００９】
本発明は、上記課題に鑑みてなされたもので、ヘアキャッチャーを設ける排水トラップに特別な構造を設ける必要が無く、捕集した毛髪等を容易に除去することができ、安定した排水能力を得ることが可能なヘアキャッチャーの提供を目的とする。
【課題を解決するための手段】
【００１０】
上記目的を達成するため、本発明は、排水トラップに対して着脱可能に設けられるヘアキャッチャーであって、流入した排水を保水する凹状の保水部と、該保水部の上部から延出し、排水中の毛髪の流出を抑止しながら前記保水部に入りきらない排水を流出させる上部排水流出部と、洗い場からの排水を前記保水部へ導く排水導入部とを備えることを特徴とする。
【００１１】
すなわち、洗い場からの排水は、排水導入部により凹状の保水部へ導かれ、該保水部で保水される。また、保水部に入りきらない排水は、保水部の上部から延出した上部排水流出部から流出する。ここで、保水部に入りきらない排水は、単に上部排水流出部からオーバーフローする訳ではなく、毛髪の流出が抑止されながら上部排水流出部から流出する。
保水部内に溜まった排水の中では、毛髪等が浮遊して集まり、毛髪等が集まった状態で保水部内に残存する。従って、捕集した毛髪等を容易に除去することができる性能、すなわち、良好な毛髪除去性を得ることができる。
また、洗い場からの排水が保水部へ導かれるので、上部排水流出部の閉塞が抑止される。従って、安定した排水能力を得ることができる。
さらに、上述した良好な毛髪除去性及び安定した排水能力は、ヘアキャッチャー単独の構造のみで得られる。
【００１２】
各請求項に係る発明において、上記ヘアキャッチャーには、毛髪以外の異物も捕集するものも含まれる。また、上記ヘアキャッチャーには、浴室の排水トラップに用いられるヘアキャッチャーの他、洗面化粧台の排水トラップに用いられるヘアキャッチャー、理容店や美容室の排水トラップに用いられるヘアキャッチャー、等も含まれる。
上記排水は、毛髪を含む水とする。
洗い場からの排水には、洗い場から排水桝内に落ちた後にヘアキャッチャー内へ流れ込む排水が含まれる。
排水中の毛髪の流出を抑止する上記上部排水流出部は、全ての毛髪を止めなくても良い。すなわち、抑止は、全てを止めることに限定されない。
上記保水部が排水を保水することには、排水を一時的に保水することが含まれる。ここで、保水部が排水を一時的に保水することは、保水部内で排水が流出しながらも一時的に排水が溜まった状態にさせることを意味する。
上記凹状の保水部は排水を受けて保水する形状であればよく、該保水部の形状には椀状、半球状、上下逆の円錐状、上下逆の角錐状、等の形状が含まれる。また、これらの形状の底部に上方へ突出したり膨出したりした部位が設けられた形状の保水部も、上記凹状の保水部に含まれる。
【００１３】
また、上記目的を達成するため、排水トラップに設けられるヘアキャッチャーは、
流入した排水を保水する凹状の保水部と、
該保水部の上部から延出し、排水中の毛髪の流出を抑止しながら前記保水部に入りきらない排水を流出させる孔を有する上部排水流出部と、
該上部排水流出部の外縁と前記保水部の上部とを繋ぐとともに前記上部排水流出部の孔同士で挟まれた位置で洗い場からの排水を前記保水部へ通す流入部と、
該流入部へ洗い場からの排水を通す流入口を設けて前記孔が存在する前記上部排水流出部の外側に配置された立壁部とを備えるヘアキャッチャーでもよい。
【００１４】
すなわち、ヘアキャッチャーに流入する洗い場からの排水は、立壁部により上部排水流出部の孔へ流入し難くされ、流入口から流入部を通って凹状の保水部へ流入し、該保水部で保水される。また、保水部に入りきらない排水は、保水部の上部から延出した上部排水流出部から流出する。ここで、保水部に入りきらない排水は、単に上部排水流出部からオーバーフローする訳ではなく、毛髪の流出が抑止されながら上部排水流出部から流出する。
保水部内に溜まった排水の中では、毛髪等が浮遊して集まり、毛髪等が集まった状態で保水部内に残存する。従って、捕集した毛髪等を容易に除去することができる性能、すなわち、良好な毛髪除去性を得ることができる。
また、洗い場からの排水が流入部を経て保水部へ通されるので、上部排水流出部の閉塞が抑止される。従って、安定した排水能力を得ることができる。
さらに、上述した良好な毛髪除去性及び安定した排水能力は、ヘアキャッチャー単独の構造のみで得られる。
【００１５】
さらに、上記目的を達成するため、排水トラップに設けられるヘアキャッチャーは、
排水中の毛髪の流出を抑止しながら排水を流出させる下部排水流出部を下部に有し、流入した排水を一時的に保水しながら該排水を前記下部排水流出部から流出させる凹状の一時保水部と、
該一時保水部の上部から延出し、排水中の毛髪の流出を抑止しながら前記一時保水部に入りきらない排水を流出させる上部排水流出部と、
洗い場からの排水を前記一時保水部へ導く排水導入部とを備えるヘアキャッチャーでもよい。
【００１６】
すなわち、洗い場からの排水は、排水導入部により凹状の一時保水部へ導かれ、該一時保水部で一時的に保水されながら下部排水流出部から流出する。このとき、排水中の毛髪の流出が抑止される。また、一時保水部に入りきらない排水は、一時保水部の上部から延出した上部排水流出部から流出する。ここで、一時保水部に入りきらない排水は、単に上部排水流出部からオーバーフローする訳ではなく、毛髪の流出が抑止されながら上部排水流出部から流出する。
一時保水部内で一時的に溜まった排水の中では、毛髪等が浮遊して集まる。この一時保水部から排水が抜けると、毛髪等が集まった状態で一時保水部内に残存する。従って、捕集した毛髪等を容易に除去することができる性能、すなわち、良好な毛髪除去性を得ることができる。
また、洗い場からの排水が一時保水部へ導かれるので、上部排水流出部の閉塞が抑止される。従って、安定した排水能力を得ることができる。
さらに、上述した良好な毛髪除去性及び安定した排水能力は、ヘアキャッチャー単独の構造のみで得られる。
【００１７】
各請求項に係る発明において、上記排水が毛髪を含む水であるので、下部排水流出部や上部排水流出部は、毛髪を含む水が流出する部位を意味する。
排水中の毛髪の流出を抑止する上記下部排水流出部や上記上部排水流出部は、全ての毛髪を止めなくても良い。すなわち、抑止は、全てを止めることに限定されない。
上記一時保水部が排水を一時的に保水することは、一時保水部内で排水が流出しながらも一時的に排水が溜まった状態にさせることを意味する。従って、一時保水部内での排水の滞留時間は、有限の時間である。中で毛髪が浮遊しながら一時保水部内に存在する排水の状態は、一時保水部内に一時的に保水されている状態に含まれる。
上記凹状の一時保水部は排水を受けて一時的に保水する形状であればよく、該一時保水部の形状には椀状、半球状、上下逆の円錐状、上下逆の角錐状、等の形状が含まれる。また、これらの形状の底部に上方へ突出したり膨出したりした部位が設けられた形状の一時保水部も、上記凹状の一時保水部に含まれる。
【００１８】
上記排水導入部は、前記保水部内で一方向に回転する旋回流が発生するように洗い場からの排水を前記保水部へ導いてもよい。すると、排水の旋回流により保水部内で毛髪等がまとまるので、毛髪除去性が向上する。
上記旋回流は、保水部内に存在する排水が回転する流れをいい、保水部に流入した排水が下部排水流出部等から流出するまでの回転数に制限は無い。また、旋回流の仮想の回転軸の向きは、鉛直方向でもよいし、水平方向でもよいし、鉛直方向や水平方向から斜めにずれた方向でもよい。
【００１９】
なお、上記ヘアキャッチャーを有する排水トラップの発明や、上記ヘアキャッチャーを有する浴室の発明も、上述した作用、効果を奏する。
【発明の効果】
【００２０】
請求項１に係る発明によれば、ヘアキャッチャーを設ける排水トラップに特別な構造を設ける必要が無く、良好な毛髪除去性及び安定した排水能力を得ることが可能なヘアキャッチャーを提供することができる。
請求項２に係る発明では、排水中の毛髪の流出を抑止しながら保水部に入りきらない排水を孔群から流出させる上部排水流出部を備えるヘアキャッチャーを提供することができる。
請求項３に係る発明では、流入部を挟む上部排水流出部の孔群同士の間隔が孔群の孔同士の間隔よりも広くされたヘアキャッチャーを提供することができる。
【図面の簡単な説明】
【００２１】
【図１】第一の実施形態に係るヘアキャッチャーを設けた排水トラップを示す垂直断面図。
【図２】図１に示す排水トラップの分解斜視図。
【図３】図１に示すヘアキャッチャーの外観を示す斜視図。
【図４】図１に示すヘアキャッチャーを上から見て示す平面図。
【図５】図１に示すヘアキャッチャーの側面図及び垂直断面図。
【図６】締め付けフランジ、封水筒及び第二の実施形態に係るヘアキャッチャーの上面を示す平面図。
【図７】第二の実施形態に係るヘアキャッチャーを設けた排水トラップを示す垂直断面図。
【図８】図７に示す排水トラップの要部を示す斜視図。
【図９】図７に示すヘアキャッチャーの側面図及び垂直断面図。
【図１０】変形例に係るヘアキャッチャーの垂直断面図。
【図１１】第三の実施形態に係るヘアキャッチャーを設けた排水トラップを示す垂直断面図。
【図１２】図１１に示すヘアキャッチャーの外観を示す斜視図。
【図１３】図１１に示すヘアキャッチャーを上から見て示す平面図。
【図１４】図１１に示すヘアキャッチャーを図１３のＡ６−Ａ６の位置で断面視して示す垂直断面図。
【図１５】図１１に示すヘアキャッチャーの側面図及び垂直断面図。
【図１６】排水トラップの従来例を示す図。
【発明を実施するための形態】
【００２２】
（１）第一の実施形態：
図１は本発明の第一の実施形態に係るヘアキャッチャー１０を設けた浴室用の排水トラップ１を示す垂直断面図、図２は排水トラップ１の分解斜視図、図３，４はヘアキャッチャー１０の外観を示す図、図５（ａ）はヘアキャッチャー１０を図３のＡ１方向から見て示す側面図、図５（ｂ）（ｃ）はヘアキャッチャー１０を図３のＡ２−Ａ２の位置から見て示す垂直断面図である。また、図６（ａ）（ｂ）は、第一及び第二の実施形態に用いられる締め付けフランジ１４０及び封水筒１５０を上から見て示している。
浴室は、図示しないシャワーや給湯栓等が設けられた洗い場Ｗ１が浴槽Ｂ１の外側に設けられ、この洗い場Ｗ１の床材１１０の一部が凹んで排水桝１１２が形成されている。この排水桝１１２は、下側の開口部に向かって略水平方向に内側へ延出したフランジ部１１３を有し、上側の開口部にカバー１２０を着脱することができるようにされている。排水トラップ１は、排水桝１１２に取り付けられ、カバー１２０と床材１１０との隙間ＣＬ１から排水桝１１２へ流入した排水を通過させる。本排水トラップ１は、カバー１２０、トラップ本体１３０、締め付けフランジ１４０、封水筒１５０、及びヘアキャッチャー１０を備える。
排水桝１１２の四隅には、図２に示すように、ヘアキャッチャー１０及びカバー１２０を載置するための洗い場側段部１１４ａ，１１４ａ及び浴槽側段部１１４ｂ，１１４ｂが形成されている。カバー１２０の浴槽側縁部１２０ａには、洗い場側へ凹んだ手かけ部１２２が形成されている。
【００２３】
図１に示すように、トラップ本体１３０は、上部が開口し、浴槽側の側壁１３０ａの下部に水平方向へ突出した接続口１３１が形成され、該接続口１３１に対向する側壁１３０ｂに水平方向へ突出した排出口１３２が形成されている。接続口１３１は、接続管を介して浴槽の防水パンに接続されている。トラップ本体１３０内では、側壁１３０ａ，１３０ｂの上縁部に封水面Ｓが形成され、この封水面Ｓの下側に封水筒１５０の下部が差し込まれる。また、トラップ本体１３０の上縁部には径方向内側へ延出したフランジ部１３３が形成され、このフランジ部１３３の内周面にねじ部１３３ａが形成されている。
【００２４】
締め付けフランジ１４０は、図１及び図６（ａ）に示すように、トラップ本体のねじ部１３３ａと螺合するねじ部１４１ａを外周面に有する円筒部１４１と、この円筒部１４１の上縁部で径方向外側へ延出した上側フランジ部１４２と、円筒部１４１の下縁部で径方向内側へ延出した下側フランジ部１４３とを備える略環状に形成されている。円筒部１４１の内周面には、９０°間隔で４箇所に上下２つの突起１４１ｂが形成されている。床材のフランジ部１１３の先端部にパッキン１４４を取り付け、このパッキン１４４をトラップ本体のフランジ部１３３とで挟むようにして該フランジ部１３３に締め付けフランジ１４０を螺入すると、床材のフランジ部１１３とトラップ本体１３０とを互いに固定することができる。
【００２５】
封水筒１５０は、図１及び図６（ｂ）に示すように、筒状の本体部１５１と、この本体部１５１の上縁部から径方向外側へ延出したフランジ部１５２とを有する形状に形成されている。フランジ部１５２の外縁部には、９０°間隔で４箇所に切欠１５２ａが形成されている。各切欠１５２ａを締め付けフランジの突起１４１ｂに合わせて締め付けフランジ１４０の開口部に封水筒の本体部１５１を挿入し、封水筒のフランジ部１５２を締め付けフランジの下側フランジ部１４３に接触させて回転させることにより、トラップ本体１３０内の所定位置に封水筒１５０が固定される。ここで、封水筒１５０の下端とトラップ本体１３０の底面との間に隙間が設けられている。
【００２６】
ヘアキャッチャー１０は、図１〜図５に示す一時保水部（保水部）２０と上部排水流出部３０と排水導入部４０を備え、排水から毛髪等のごみを捕集する。
【００２７】
一時保水部２０は、上部が開口し下方へ凹んだ凹状に形成され、流入した排水を保水する。本実施形態の一時保水部２０は、四隅に段部１１４を有する排水桝１１２の中で容積をできるだけ大きくするため、上下逆の四角錐の頂点及び稜線を丸くしたような形状としてある。この四角錐の頂点近傍となる一時保水部２０下部には、排水中の毛髪等の流出を抑止しながら排水を略下方へ流出させる水抜き孔２３が複数形成されている。これらの水抜き孔２３が設けられた一時保水部２０下部は、本発明にいう下部排水流出部２２となっている。排水を流出させる下部排水流出部２２が凹状の一時保水部２０の下部に存在することにより、一時保水部２０内で一時的に保水される排水に渦流が発生し易くなっている。
一方、一時保水部２０における下部排水流出部２２の周囲は、水抜き孔の無い壁部２１とされ、外側に向かって斜めに立ち上がっている。従って、一時保水部２０は、流入した排水を一時的に保水しながら該排水を下部排水流出部２２から流出させる。
【００２８】
下部排水流出部２２の最大の排水流出流量Qd（リットル／分）は、排水中の毛髪が浮遊する程度に洗い場Ｗ１からの排水が一時保水部２０内で一時的に溜まる流量が好ましい。ここで、最大の排水流出流量Qdは、一時保水部２０内に排水が上縁部２１ａまで溜まっているように連続して排水を導入したときに下部排水流出部２２から流出する排水の流出流量とする。また、洗い場で使用するシャワーの平均吐水流量Qs（リットル／分）よりもQdを小さくすると、平均的な吐水流量で洗い場のシャワーを使用したときに洗い場の排水が一時保水部２０内で一時的に溜まるので好ましい。一方、一時保水部２０で一時的に保水される排水の滞留時間Ｔを数秒〜十数秒程度（例えば５〜１５秒）とするようにQdを設定すると、洗い場使用後速やかに一時保水部２０から排水が抜けて毛髪等を除去する作業を行うことができるので好ましい。
なお、上記排水流出流量Qdを大きくするには、水抜き孔２３の開口面積を大きくしたり、水抜き孔２３の数を多くしたりして、水抜き孔２３の総開口面積（個々の水抜き孔の開口面積を総和した面積）を大きくすればよい。むろん、Qdを小さくするには、水抜き孔２３の総開口面積を小さくすればよい。このようにして、下部排水流出部２２を所望の排水流出流量にすることができる。
【００２９】
上部排水流出部３０は、一時保水部２０の上部（上縁部２１ａ）から外側に向かって斜めに上がるように延出している。この上部排水流出部３０には、排水中の毛髪の流出を抑止しながら排水を流出させる孔３２が複数形成されている。上部排水流出部３０は一時保水部２０に入りきらない排水を流出させるため、上部排水流出部３０の最大の排水流出流量Qu（リットル／分）が下部排水流出部２２の最大排水流出流量Qd（リットル／分）よりも大きくなるようにしている。ここで、最大の排水流出流量Quは、排水が上部排水流出部３０の外縁部３０ａの最も低い位置まで溜まっているように連続して排水を導入したときに上部排水流出部３０から流出する排水の流出流量とする。むろん、Quを大きくするには孔３２の総開口面積を大きくすればよく、Quを小さくするには孔３２の総開口面積を小さくすればよい。このようにして、上部排水流出部３０を所望の排水流出流量にすることができる。
本実施形態の上部排水流出部３０は、排水桝１１２の中で容積をできるだけ大きくするため、一時保水部２０の上部よりも緩やかな傾斜で外側へ延出している。
【００３０】
排水導入部４０は、洗い場Ｗ１からの排水を上部排水流出部３０ではなく、一時保水部２０へ導く。本実施形態の排水導入部４０は、立壁部５０と傾斜部６０とフランジ部７０を有し、一時保水部２０内で左回り（一方向）に回転する旋回流が発生するように洗い場Ｗ１からの排水を直接、一時保水部２０内に導入する。なお、一時保水部内で旋回流が一方向に回転するとは、一時保水部内の旋回流が左回りのみであること、一時保水部内の旋回流が右回りのみであること等、一時保水部内の旋回流の回転方向が一つであることを意味するものとする。
立壁部５０は、洗い場Ｗ１からの排水を通す流入口５６を洗い場Ｗ１側に設け浴槽側を離間させて上部排水流出部３０の外側に配置された第一の分割立壁部５２及び第二の分割立壁部５４から構成されている。洗い場Ｗ１からの排水の多くは洗い場Ｗ１側から排水桝１１２に流入するので、ヘアキャッチャー１０上の流入口５６は洗い場Ｗ１からの排水の多くが流れ込む位置に設けられていることになる。両分割立壁部５２，５４は、上部排水流出部３０を囲むように上部排水流出部３０の外縁部３０ａから上方へ延出している。立壁部５０があることにより、毛髪等を含む洗い場Ｗ１側からの排水が直接上部排水流出部３０に入らないようになっており、毛髪等による上部排水流出部３０の目詰まりを抑止することができる。
【００３１】
傾斜部６０は、流入口５６を通って立壁部５０の外側から一時保水部壁部２１の内周面に沿う方向に向かって、すなわち、一時保水部２０内において仮想の水平面ＨＰ１に投影された下部排水流出部２２の平面図形の重心ＣＥ１から水平方向へずれた位置に向かって下がっている。
ここで、ヘアキャッチャー１０を仮想の水平面ＨＰ１に投影した平面図形は図４の平面図に相当し、下部排水流出部２２の平面図形（水抜き孔２３に相当する部分も含まれる）は同図の２２で表される二点鎖線で囲まれた図形に相当する。この平面図形は、水抜き孔２３に相当する部分を含むものとする。下部排水流出部２２の平面図形の重心ＣＥ１は、幾何学やシミュレーションで求めることができ、単位面積当たりの重量が均一な板を水抜き孔２３の無い下部排水流出部２２の形状に切り取って釣り合う点、すなわち、質量中心を探す試験を行うことによっても求めることができる。
仮想の水平面に投影された下部排水流出部の平面図形の重心ＣＥ１から水平方向へずれた位置に向かうとは、図４に示す傾斜部６０の排水の流れ方向Ｄ１３のように、ヘアキャッチャー１０を上から見たときに重心ＣＥ１を通らない方向に向かうことを意味するものとする。
また、排水の流れ方向Ｄ１３の向きは傾斜部６０において最も傾斜した向きであり、この向きが傾斜部６０の下がる向きであるものとする。本実施形態の傾斜部６０が下がる向きは、排水が流れていく方向に見たときに下部排水流出部２２から右側とされている。
【００３２】
フランジ部７０は、上部排水流出部の外縁部３０ａから外方へ延出し、立壁部５０の外側で洗い場Ｗ１からの排水を受けて傾斜部６０へ案内する。本実施形態のフランジ部７０は、主に第一の分割立壁部５２の外側となる第一の領域７２と、主に第二の分割立壁部５４の外側となる第二の領域７４と、これらの領域７２，７４の境界部分で一段上がって洗い場側段部１１４ａ，１１４ａに載置される隅部７６，７７とに区分することができる。第一の領域７２と第二の領域７４は、浴槽側を離間させ、ともに流入口５６へ繋がっている。第一の領域７２は、右回りに少しずつ下がり、一時保水部２０内の旋回流の回転方向Ｄ１とほぼ同じ回転方向へ排水を案内する。第二の領域７４は、洗い場側に向かって少しずつ下がり、浴槽側から流入口５６へ排水を案内する。隅部７６，７７は、第一の領域７２上を流れる排水を右回りに誘導したり、第二の領域７４上を流れてきた排水を流入口５６へ誘導したりする機能も有する。
【００３３】
なお、カバー１２０を取り外す際に手かけ部１２２に手を掛け易くするため、ヘアキャッチャー１０は、浴槽側に立壁部５０が設けられていない領域があり、上部排水流出部３０の浴槽側縁部３０ｂがヘアキャッチャー自体の浴槽側縁部に繋がった形状とされている。ここで、洗い場Ｗ１からの排水の多くは洗い場Ｗ１側から排水桝１１２に流入するので、フランジ部７０上から傾斜部６０を経由して一時保水部２０に流入する排水に比べてヘアキャッチャー１０の浴槽側縁部から上部排水流出部３０へ直接流入する排水は少ない。
以上より、排水導入部４０は、フランジ部７０により洗い場Ｗ１からの排水を主に傾斜部６０へ案内し、該排水を立壁部５０の外側から傾斜部６０に沿って仮想の水平面に投影された下部排水流出部の平面図形の重心ＣＥ１（以下、下部排水流出部の重心ＣＥ１と記載）から水平方向へずれた位置に向けて一時保水部２０へ導く。
【００３４】
ところで、ヘアキャッチャー１０は、熱可塑性樹脂といった樹脂材料、ステンレスといった金属材料、これらの組み合わせ、等、種々の材質とすることができ、樹脂材料や金属材料の成形品等を用いることができる。
本ヘアキャッチャー１０を設けた排水トラップ１は、例えば、床材フランジ部１１３の先端部にパッキン１４４を取り付け、トラップ本体のフランジ部１３３に締め付けフランジ１４０を螺入して床材フランジ部１１３とトラップ本体１３０とを互いに固定し、封水筒１５０を締め付けフランジ１４０に取り付け、ヘアキャッチャー１０を排水桝段部１１４に載置し、該ヘアキャッチャー１０の隅部にカバー１２０を載置することにより、形成される。
【００３５】
次に、本ヘアキャッチャー１０の作用、効果を説明する。
洗い場Ｗ１で生じた排水は、カバー１２０の周囲から排水桝１１２に流入し、主にヘアキャッチャーフランジ部７０上へ流下する。ここで、図４の左側にある隅部７６に流下した排水は第一の領域７２へ流れ、同図の右側にある隅部７７に流下した排水は領域７２，７４の下流部から速やかに傾斜部６０へ流れる。第一の領域７２上の排水は、第一の分割立壁部５２に沿って左回りに案内された後、傾斜部６０へ流れる。第二の領域７４上の排水は、第二の分割立壁部５４に沿って洗い場Ｗ１側へ案内された後、傾斜部６０へ流れる。ここで、図４に示す排水の流れ方向Ｄ１３に沿った傾斜部６０の傾斜が排水の流れ方向Ｄ１１，Ｄ１２に沿った領域７２，７４の傾斜よりも大きいので、傾斜部６０に流入した排水は一時保水部２０内に向かって速度を上げる。このため、少ない排水量でも効果的に旋回流を発生させることができる。また、第二の領域７４上の排水は一時保水部内の旋回流の回転方向Ｄ１と逆方向から案内されるが、傾斜部６０で該旋回流を減衰させにくい方向へ向きが変えられる。
【００３６】
傾斜部６０を流下した排水は、下部排水流出部２２の重心ＣＥ１から水平方向へずれた位置に向かって凹状の一時保水部２０に流入し、該一時保水部２０で一時的に保水されながら左回りに旋回し、下部排水流出部２２から下方へ流出する。排水が一時保水部壁部２１の内周面に沿う方向へ流入するので、旋回流は下部排水流出部２２を通り鉛直に向いた仮想の回転軸ＡＸ１を中心とするような渦流となる。一時保水部２０内で一時的に溜まった排水の渦流の中で、図５（ｂ）に示すように毛髪Ｈ１等の異物が浮遊しながら旋回して集まり、下部排水流出部２２からの毛髪Ｈ１等の流出が抑止される。むろん、下部排水流出部２２から毛髪Ｈ１等が流出しようとしても、複数の水抜き孔２３を形成した下部排水流出部２２に引っ掛かることにより毛髪Ｈ１等の流出が抑止される。
【００３７】
また、下部排水流出部２２の排水流出流量を超える排水が一時保水部２０に流入すると、排水は、一時保水部２０に入りきらず上縁部２１ａを超え、上部排水流出部３０から流出する。図５（ｂ）は、排水が上縁部２１ａを超えて位置Ｌ１にまで上昇していることを示している。このとき、下部排水流出部２２から流出した排水が封水面Ｓまで流れ方向Ｄ１４へ落下するとともに、上部排水流出部３０から流出した排水が封水面Ｓまで流れ方向Ｄ１５へ落下する。ここで、一時保水部２０内の排水中の毛髪等は集まって浮遊し旋回しているため、上部排水流出部の孔３２から流出しようとする毛髪等は少ない。また、上部排水流出部３０から毛髪Ｈ１等が流出しようとしても、複数の孔３２が形成された上部排水流出部３０に引っ掛かることにより毛髪Ｈ１等の流出が抑止される。従って、上部排水流出部３０は、従来のヘアキャッチャーに設けられたオーバーフロー用の開口部のように毛髪等が流出してしまう開口部とは異なる。
【００３８】
一時保水部２０に排水が流入しなくなると、毛髪Ｈ１等が浮遊して集まった排水が下部排水流出部２２から流出し、図５（ｃ）に示すように毛髪Ｈ１等がまとまった状態で一時保水部２０内に残存する。捕集した毛髪等を捨てる際には、排水桝１１２からカバー１２０を取り外した後にヘアキャッチャー１０を取り外して裏返す作業をすればよい。毛髪等がまとまった状態で一時保水部２０内に存在するので、上下逆にされた一時保水部２０から毛髪等が容易に落下する。
図１６（ｄ）に示した従来例のように排水が速やかにヘアキャッチャーを通過するようにされていると毛髪等がヘアキャッチャーに絡み付いて毛髪等を除去し難くなるが、本ヘアキャッチャー１０は、一時保水部の孔が少なく、排水が徐々に下部排水流出部２２を通過するので、毛髪等が一時保水部に絡み付かず、良好な毛髪除去性を得ることができ、清掃し易い。
【００３９】
また、図１６（ａ）〜（ｄ）に示した従来例のように洗い場からの全排水が一度にヘアキャッチャー全体を通過すると毛髪等がヘアキャッチャー全体に付着して目詰まりし易くなるが、本ヘアキャッチャー１０は、上部排水流出部３０に直接排水が流れ込まないので、上部排水流出部３０の閉塞を抑止して安定した排水能力を得ることができる。
さらに、図１６（ａ）〜（ｄ）に示した従来例では封水筒や排水桝等を特別な構造にすることより渦流を発生させる必要があるが、本ヘアキャッチャー１０は、上述した良好な毛髪除去性及び安定した排水能力をヘアキャッチャー単独の構造のみで得ることができる。特に、図１６（ａ）〜（ｃ）に示した従来例では洗い場からの排水が全て排水量調節部品９０４を通過することにより排水能力が制限されるが、本ヘアキャッチャー１０によると、封水筒の排水能力を制限する必要が無いので、安定した排水能力が得られる。また、図１６（ｄ）に示した従来例では渦流を発生させるために浴槽排水が必要であるが、本ヘアキャッチャー１０は、浴槽排水を用いず洗い場シャワー等の洗い場からの排水だけで良好な毛髪除去性を得ることができる。
従って、本ヘアキャッチャー１０によると、ヘアキャッチャーを設ける排水トラップに特別な構造を設ける必要が無く、良好な毛髪除去性及び良好な清掃性並びに安定した排水能力を得ることが可能となる。むろん、これらの性能は、既存の排水トラップからヘアキャッチャーのみを交換することにより得られることになる。従って、排水トラップを安価にすることが可能になる。
【００４０】
本実施形態から把握される本発明の付加的な側面の一つとして、前記排水導入部は、洗い場からの排水を通す流入口を設けて前記上部排水流出部の外側に配置された立壁部と、前記流入口を通って前記立壁部の外側から前記一時保水部内において仮想の水平面に投影された前記下部排水流出部の平面図形の重心から水平方向へずれた位置に向かって下がった傾斜部とを有し、洗い場からの排水を前記立壁部の外側から前記傾斜部に沿って前記一時保水部へ導くことが挙げられる。本側面によれば、洗い場からの排水が一時保水部内における下部排水流出部から水平方向へずれた位置に導かれて旋回流となるので、毛髪除去性を向上させることができる。
【００４１】
なお、洗い場から流入する排水が少ないときには一時保水部２０内で旋回流が生じないこともあるが、この場合でも一時保水部２０内で一時的に溜まった排水の中で毛髪等が浮遊して集まり、下部排水流出部２２からの毛髪等の流出が抑止される。むろん、流入する排水が一時保水部２０に一時的に保水されない程度に少ないときであっても、複数の水抜き孔２３を形成した下部排水流出部２２により毛髪等の流出が抑止され、下部排水流出部２２から排水が徐々に流出するので毛髪等の絡み付きによる毛髪除去性の低下が抑止される。
【００４２】
（２）第二の実施形態：
図６（ｃ）は本発明の第二の実施形態に係るヘアキャッチャー２１０を上から見て示す平面図、図７はヘアキャッチャー２１０を設けた浴室用の排水トラップ１を示す垂直断面図、図８はヘアキャッチャー２１０を設けた排水トラップ１の要部を示す斜視図、図９（ａ）はヘアキャッチャー２１０を図６（ｃ）のＡ３方向から見て示す側面図、図９（ｂ）（ｃ）はヘアキャッチャー２１０を図６（ｃ）のＡ４−Ａ４の位置から見て示す垂直断面図である。ヘアキャッチャー２１０以外の排水トラップ１の構成は第一の実施形態と同じであるので、ヘアキャッチャー２１０以外の説明を省略する。
ヘアキャッチャー２１０は、一時保水部（保水部）２２０と上部排水流出部２３０と排水導入部２４０を備え、排水から毛髪等のごみを捕集する。
【００４３】
一時保水部２２０は、上下逆の円錐の頂点を丸くしたような凹状に形成され、流入した排水を保水する。この円錐の頂点近傍となる一時保水部２２０下部には、複数の水抜き孔２２３が形成され、排水中の毛髪等の流出を抑止しながら排水を略下方へ流出させる下部排水流出部２２２とされている。一時保水部２２０における下部排水流出部２２２の周囲は、水抜き孔の無い壁部２２１とされ、外側に向かって斜めに立ち上がっている。
【００４４】
上部排水流出部２３０は、洗い場Ｗ１からの排水を通す流入口２５６を設けて一時保水部２２０の上部（上縁部２２１ａ）から上方へ延出している。この上部排水流出部２３０には、排水中の毛髪の流出を抑止しながら排水を流出させる孔２３２が複数形成されている。上部排水流出部２３０は一時保水部２２０に入りきらない排水を流出させるため、上部排水流出部２３０の最大排水流出流量Quが下部排水流出部２２２の最大排水流出流量Qdよりも大きくなるようにしている。ここで、最大排水流出流量Quは、排水が排水桝１１２内で上部排水流出部２３０の上縁部２３０ａの位置まで溜まっているように連続して排水を導入したときに上部排水流出部２３０から流出する排水の流出流量とする。
下部排水流出部２２２や上部排水流出部２３０の最大排水流出流量Qd，Quは、第一の実施形態と同様にして設定することができる。
【００４５】
排水導入部２４０は、第二の立壁部２５０と傾斜部２６０と案内部２７０を有し、一時保水部２２０内で左回りに回転する旋回流が発生するように洗い場Ｗ１からの排水を直接、一時保水部２２０へ導く。
【００４６】
第二の立壁部２５０は、上部排水流出部の上縁部２３０ａから該上部排水流出部２３０の外側へ曲げられて水平方向外側へ若干延出した水平延出部２５２と、この水平延出部２５２の外縁部から下方へ向かう方向へ延出した下方延出部２５４とを有する形状とされている。図６（ｃ）と図９（ａ）に示すように、下方延出部２５４の下部外側面には、９０°間隔で４箇所に凸部２４２が形成されている。各凸部２４２を締め付けフランジの突起１４１ｂに合わせて締め付けフランジ１４０の開口部にヘアキャッチャー２１０の下部を挿入し、上下の突起１４１ｂ間に凸部２４２を挿入するようにヘアキャッチャー２１０を回転させることにより、第二の立壁部２５０が封水筒の上部に取り付けられる。これにより、ヘアキャッチャー２１０が排水桝１１２内の所定位置に固定される。
また、第二の立壁部２５０は、流入口２５６の部分で上部排水流出部２３０に繋がっている。
なお、９０°間隔とされた締め付けフランジ突起１４１ｂ及び排水導入部凸部２４２により、締め付けフランジ１４０に取り付けられるヘアキャッチャー２１０の向きを９０°単位で変えることができる。むろん、締め付けフランジの開口部が上面視円形であり、ヘアキャッチャーの下部が下面視円形であるので、締め付けフランジ及びヘアキャッチャーの取付部を変更することにより締め付けフランジに対してヘアキャッチャーを取り付ける向きを３６０°全ての向きに変更可能である。
【００４７】
傾斜部２６０は、流入口２５６を通って第二の立壁部２５０の外側から一時保水部壁部２２１の内周面に沿う方向に向かって下がっている。
案内部２７０は、図６（ｃ）に示すように、流入口２５６の左側で第二の立壁部２５０の外側に設けられており、右回りに少しずつ下がって一時保水部２２０内の旋回流の回転方向Ｄ２とほぼ同じ回転方向へ排水を案内する。図６（ｃ）に示す排水の流れ方向Ｄ２３に沿った傾斜部２６０の傾斜は、排水の流れ方向Ｄ２２に沿った案内部２７０の傾斜よりも大きくしてある。
以上より、排水導入部２４０は、洗い場Ｗ１から排水桝１１２内に流入した排水の一部を案内部２７０により傾斜部２６０へ案内し、排水桝１１２内の排水を第二の立壁部２５０の外側から傾斜部２６０に沿って仮想の水平面ＨＰ２に投影された下部排水流出部２２２の平面図形の重心ＣＥ２から水平方向へずれた位置に向けて一時保水部２２０へ導く。
【００４８】
次に、本ヘアキャッチャー２１０の作用、効果を説明する。
洗い場Ｗ１から排水桝１１２内に流入した排水は、一部が案内部２７０上で傾斜部２６０へ案内され、傾斜部２６０上で一時保水部２２０内に向かって速度を上げる。該排水は、下部排水流出部２２２の重心ＣＥ２から水平方向へずれた位置に向かって凹状の一時保水部２２０に流入し、下部排水流出部２２２を通り鉛直に向いた仮想の回転軸ＡＸ２を中心とするような左回りの旋回流が生じ、下部排水流出部２２２から下方へ流出する。一時保水部２２０内で一時的に溜まった排水の渦流の中で、図９（ｂ）に示すように毛髪Ｈ１等の異物が浮遊しながら旋回して集まり、下部排水流出部２２２からの毛髪Ｈ１等の流出が抑止される。また、下部排水流出部２２２の排水流出流量を超える排水が一時保水部２２０に流入すると、排水は、一時保水部２２０に入りきらず、毛髪Ｈ１等の流出が抑止されながら上部排水流出部２３０から流出する。図９（ｂ）は、排水が上縁部２２１ａを超えて位置Ｌ２にまで上昇していることを示している。このとき、下部排水流出部２２２から流出した排水が流れ方向Ｄ２４へ落下するとともに、上部排水流出部２３０から流出した排水が流れ方向Ｄ２５へ落下する。一時保水部２２０内の排水中の毛髪等は集まって浮遊し旋回しているため、上部排水流出部の孔２３２から流出しようとする毛髪等は少ない。
【００４９】
一時保水部２２０に排水が流入しなくなると、毛髪Ｈ１等が浮遊して集まった排水が下部排水流出部２２２から流出し、図９（ｃ）に示すように毛髪Ｈ１等がまとまった状態で一時保水部２２０内に残存する。また、本ヘアキャッチャー２１０は、上部排水流出部２３０に直接排水が流れ込まない。さらに、本ヘアキャッチャー２１０は、締め付けフランジ１４０の内径とほぼ同じ外径のコンパクトな大きさで上述した良好な毛髪除去性及び清掃性並びに安定した排水能力を得ることができる。
従って、本ヘアキャッチャー２１０によると、ヘアキャッチャーを設ける排水トラップに特別な構造を設ける必要が無く、コンパクトな大きさで良好な毛髪除去性及び良好な清掃性並びに安定した排水能力を得ることが可能となる。
【００５０】
本実施形態から把握される本発明の付加的な側面の一つとして、前記上部排水流出部が洗い場からの排水を通す流入口を設けて前記一時保水部から上方へ延出し、前記排水導入部は、前記上部排水流出部の上縁部から該上部排水流出部の外側へ曲げられて下方へ向かう方向へ延出して前記排水トラップの封水筒の上部に取り付けられるとともに前記流入口の部分で前記上部排水流出部に繋がった第二の立壁部と、前記流入口を通って前記第二の立壁部の外側から前記一時保水部内において仮想の水平面に投影された前記下部排水流出部の平面図形の重心から水平方向へずれた位置に向かって下がった傾斜部とを有し、洗い場からの排水を前記第二の立壁部の外側から前記傾斜部に沿って前記一時保水部へ導くことが挙げられる。本側面によれば、毛髪除去性を向上させることができるとともに、ヘアキャッチャーをコンパクトにすることができる。
【００５１】
なお、図１０（ａ）に示すヘアキャッチャー３１０や同図（ｂ）に示すヘアキャッチャー４１０のように、一時保水部３２０，４２０の底に上方へ突出した凸部３２４，４２４が設けられてもよい。これらの一時保水部３２０，４２０は、凸部３２４，４２４の周囲に複数の水抜き孔３２３，４２３を有する下部排水流出部３２２，４２２が設けられている。これらの変形例でも、一時保水部内で一時的に溜まった排水の中で毛髪等が浮遊して集まり、毛髪等がまとまった状態で一時保水部内に残存して、良好な毛髪除去性及び安定した排水能力を得る効果が得られる。
さらに、一時保水部の底に設けられる凸部は、上方へ膨出した部位等でもよい。
【００５２】
（３）第三の実施形態：
図１１は本発明の第三の実施形態に係るヘアキャッチャー５１０を設けた浴室用の排水トラップ１を示す垂直断面図、図１２，１３はヘアキャッチャー５１０の外観を示す図、図１４はヘアキャッチャー５１０を図１３のＡ６−Ａ６の位置から見て示す垂直断面図、図１５（ａ）はヘアキャッチャー５１０を図１３のＡ５方向から見て示す側面図、図１５（ｂ）（ｃ）はヘアキャッチャー５１０を図１３のＡ６−Ａ６の位置から見て示す垂直断面図である。
ヘアキャッチャー５１０は、一時保水部（保水部）５２０と上部排水流出部５３０と排水導入部５４０を備え、排水から毛髪等のごみを捕集する。本ヘアキャッチャー５１０は、凸部の最上部５２４ａを通る鉛直線を中心として２回回転対称な形状とされている。なお、本明細書において、２回回転対称とは、一つの立体図形を一定軸のまわりに１８０°回転移動させて初めて同じ立体図形になる性質をいうものとする。
【００５３】
一時保水部５２０は、半球の底に上方へ凸とされた凸部５２４を有する凹状に形成され、流入した排水を保水する。一時保水部が略半球状に形成されているので、一時保水部内で排水が旋回流になり易くなり、毛髪等をまとめて捨て易くすることができる。
凸部５２４を含む一時保水部５２０下部は、複数の水抜き孔５２３が形成され、排水中の毛髪等の流出を抑止しながら排水を略下方へ流出させる下部排水流出部５２２とされている。一時保水部５２０における下部排水流出部５２２の周囲は、水抜き孔の無い壁部５２１とされ、外側に向かって膨出しながら斜めに立ち上がっている。凸部５２４は、最上部５２４ａが一時保水部５２０の上縁部５２１ａよりも低くされ、一時保水部５２０の底部から上方へなだらかに膨出している。本実施形態の水抜き孔５２３は、凸部の最上部５２４ａから一時保水部５２０の最下部５２０ａを越えて凸部５２４の周囲にまで複数設けられている。
【００５４】
上部排水流出部５３０は、一時保水部５２０を取り囲むように設けられ、一時保水部の上部（上縁部５２１ａ）から外側に向かって斜めに上がるように延出している。この上部排水流出部５３０には、排水中の毛髪の流出を抑止しながら一時保水部５２０に入りきらない排水を流出させる排水流出孔群５３１，５３１が複数形成されている。各排水流出孔群５３１は、毛髪の流出を抑止しながら排水を流出させる孔５３２が複数集合して構成されている。上部排水流出部５３０は一時保水部５２０に入りきらない排水を流出させるため、上部排水流出部５３０の最大排水流出流量Quが下部排水流出部５２２の最大排水流出流量Qdよりも大きくなるようにしている。ここで、最大排水流出流量Quは、排水が排水桝１１２内で上部排水流出部５３０の外縁（外縁部５３０ａ）の位置まで溜まっているように連続して排水を導入したときに上部排水流出部５３０から流出する排水の流出流量とする。
下部排水流出部５２２や上部排水流出部５３０の最大排水流出流量Qd，Quは、第一の実施形態と同様にして設定することができる。
【００５５】
排水導入部５４０は、流入部５６０と立壁部５５０を有し、図１３に示すように一時保水部５２０内で左回りに回転する旋回流が発生するように洗い場Ｗ１からの排水を直接、一時保水部５２０へ導く。
【００５６】
流入部５６０は、排水流出孔群５３１，５３１同士で挟まれた位置（孔５３２同士で挟まれた位置）で上部排水流出部の外縁部５３０ａと一時保水部の上縁部５２１ａとを繋ぎ、洗い場Ｗ１からの排水を流入口５５６から一時保水部５２０へ通す。この流入部５６０を挟む排水流出孔群５３１，５３１同士の間隔は、各排水流出孔群５３１を構成する孔５３２同士の間隔よりも広くされている。ここで、排水流出孔群同士の間隔は一方の排水流出孔群５３１と他方の排水流出孔群５３１との間の最短距離をいい、孔同士の間隔は排水流出孔群５３１内の一つの孔５３２と隣接する孔５３２との間の最短距離をいうものとする。排水流出孔群５３１，５３１同士の間隔が広いので、排水は、上部排水流出部５３０からほとんど流出せずに流入部５６０上を流入口５５６から一時保水部５２０へ流れる。
本実施形態の流入部５６０は、上部排水流出部５３０と略同一面内で一時保水部５２０を挟む二箇所に設けられ、流入口５５６から一時保水部上縁部５２１ａに向かって下がっている。
【００５７】
立壁部５５０は、洗い場からの排水を流入部５６０へ通す流入口５５６を設けて排水流出孔群５３１（孔５３２）が存在する上部排水流出部５３０の外側に配置されている。従って、立壁部５５０は、排水流出孔群５３１に直接排水が流れ込むことを抑止し、排水を流入口５５６だけから一時保水部５２０へ流入させるガイド機能を有する。
本実施形態の立壁部５５０は、各排水流出孔群５３１，５３１の外側に存在する第一の分割立壁部５５２及び第二の分割立壁部５５４から構成されている。両分割立壁部５２，５４は、上部排水流出部３０を取り囲むように上部排水流出部の外縁部３０ａから上方へ延出している。各分割立壁部５５２，５５４の流入口５５６側の縁部（区画部５５３，５５５）は、排水流出孔群５３１（上部排水流出部５３０）と流入部５６０とを区画するように一時保水部５２０の方へ曲げられている。これらの区画部５５３，５５５は、各分割立壁部５５２，５５４において旋回流の回転方向Ｄ５の下流側に設けられ、流入部５６０上の排水が一時保水部５２０内における凸部の最上部５２４ａから水平方向へずれた位置に向かうように配置されている。本実施形態の区画部５５３，５５５の向きは、一時保水部壁部５２１の内周面に沿う向きとされている。
【００５８】
以上より、排水導入部５４０は、洗い場Ｗ１から排水桝１１２内に流入した排水を立壁部５５０の外側から流入口５５６，５５６へ流入させ、流入部５６０，５６０に沿って凸部の最上部５２４ａから水平方向へずれた位置に向けて一時保水部５２０へ導く。これにより、流入部５６０上の排水が凸部の最上部５２４ａから水平方向へずれた位置に向かうので、一時保水部５２０内で排水の旋回流が生じ易い。また、一時保水部５２０内に凸部５２４があるので、流入部５６０上の排水が一時保水部５２０内の旋回流を打ち消す方向へ流入し難い。
【００５９】
ヘアキャッチャー５１０が凸部の最上部５２４ａを通る鉛直線を中心として２回回転対称であるので、図１４に示すように仮想の水平面ＨＰ５に投影したときの凸部の最上部５２４ａは、下部排水流出部５２２の平面図形の重心ＣＥ５と一致する。そして、流入部５６０，５６０上を流れてきた排水が１８０°反対の方向から一時保水部５２０内へ流入するので、一時保水部内で排水が旋回流になり易くなり、毛髪等をまとめて捨て易くすることができる。
なお、流入部が一箇所しかないと、排水桝内に流入する排水の流れの向きによって一時保水部内で良好な旋回流が生じないことがある。一方、流入部が三箇所以上あると、流入部から一時保水部へ流入する排水の流れ同士がぶつかることにより一時保水部内で良好な旋回流が生じないことがある。本ヘアキャッチャーは、一時保水部を挟んで流入部が二箇所にあるので、一時保水部内で排水が旋回流になり易い。
【００６０】
ところで、図１４に示すように、凸部の最上部５２４ａを通る鉛直面で切断した断面における上部排水流出部５３０の傾きG1（％）は、同断面における流入部５６０の傾きG2（％）とほぼ同じである。一方、同断面における一時保水部壁部５２１の上部の傾きG3（％）は、上部排水流出部や流入部の傾きG1，G2よりも大きくされている。
なお、傾きG1％，G2％，G3％は、水平方向の距離Dh1（mm），Dh2（mm），Dh3（mm）に対する鉛直方向の距離をDv1（mm），Dv2（mm），Dv3（mm）として、
G1 ＝ （Dv1／Dh1）×１００  （％）
G2 ＝ （Dv2／Dh2）×１００  （％）
G3 ＝ （Dv3／Dh3）×１００  （％）
で表されるものとする。ここで、傾きを表すDh1，Dh2，Dh3は正の数、Dv1，Dv2，Dv3は０以上の数とする。
【００６１】
石鹸やシャンプー等に由来する泡を水面に有する排水がヘアキャッチャーの孔から流出していくとき、ヘアキャッチャー上面の勾配が急であると、泡が排出されにくい。一方、ヘアキャッチャー上面が水平であると、泡は排出され易くなるものの、毛髪等がヘアキャッチャー上面全体に付着して目詰まりすることがある。
本ヘアキャッチャー５１０は、上部排水流出部５３０に傾きを設けることにより毛髪等を凹状の一時保水部５２０へ集め、上部排水流出部の傾きG1を水平に近くすることにより泡の排出性能を高めている。これにより、本ヘアキャッチャー５１０は、凹状の一時保水部５２０で毛髪等の異物を集めながら排水の水面にある泡を容易に上部排水流出部５３０から排出することができる。
【００６２】
また、泡を素早く排出するためには各孔５３２の開口面積が大きい方がよいため、各孔５３２の開口面積は一時保水部の各水抜き孔５２３の開口面積よりも大きくしている。
【００６３】
なお、ヘアキャッチャー５１０は、上部排水流出部の外縁部５３０ａから下方へ延出した下方延出部５４２を有し、締め付けフランジ１４０に対して下方延出部５４２が取り付けられるようにされている。図１２と図１５（ａ）に示すように、下方延出部５４２の下部外側面には、９０°間隔で４箇所に溝５４３が形成されている。また、下方延出部５４２の下縁部５４５には、各溝５４３に繋がる切欠部５４４が９０°間隔で形成されている。各切欠部５４４を締め付けフランジの突起１４１ｂに合わせて締め付けフランジ１４０の開口部にヘアキャッチャー５１０の下部を挿入し、上下の突起１４１ｂ間に下方延出部の下縁部５４５を挿入するようにヘアキャッチャー５１０を回転させることにより、ヘアキャッチャー５１０が封水筒１５０の上部に取り付けられる。これにより、ヘアキャッチャー５１０が排水桝１１２内の所定位置に固定される。
むろん、９０°間隔とされた締め付けフランジ突起１４１ｂ及び溝５４３により、締め付けフランジ１４０に取り付けられるヘアキャッチャー５１０の向きを９０°単位で変えることができる。また、締め付けフランジの開口部が上面視円形であり、ヘアキャッチャーの下部が下面視円形であるので、締め付けフランジ及びヘアキャッチャーの取付部を変更することにより締め付けフランジに対してヘアキャッチャーを取り付ける向きを３６０°全ての向きに変更可能である。
【００６４】
次に、本ヘアキャッチャー５１０の作用、効果を説明する。
洗い場Ｗ１から排水桝１１２内に流入した排水は、分割立壁部５５２，５５４により排水流出孔群５３１，５３１に直接流れ込むことが抑止され、流入口５５６，５５６からヘアキャッチャー５１０内に流入する。流入口５５６，５５６から流入した排水は、傾きG2を有する流入部５６０，５６０上を区画部５５３，５５５に案内されて一時保水部５２０内における凸部の最上部５２４ａ（重心ＣＥ５）から水平方向へずれた位置に向かって速度を上げる。なお、排水が流入部５６０，５６０に隣接する孔５３２の上を通過することもあるが、このような排水は僅かである。
【００６５】
流入部５６０，５６０を流れてきた排水は、凸部の最上部５２４ａから水平方向へずれた位置に向かって凹状の一時保水部５２０に流入する。図１３には、流入部５６０，５６０から一時保水部５２０内に流入する排水の流れＤ５３，Ｄ５３を矢印で示している。排水が一時保水部５２０に流入すると、下部排水流出部５２２を通り鉛直に向いた仮想の回転軸ＡＸ５を中心とするような左回りの旋回流が生じ、排水が下部排水流出部５２２から下方へ流出する。一時保水部５２０内で一時的に溜まった排水の渦流の中で、図１５（ｂ）に示すように毛髪Ｈ１等の異物が浮遊しながら旋回して集まり、下部排水流出部５２２からの毛髪Ｈ１等の流出が抑止される。
また、一時保水部５２０内に凸部５２４があることにより一時保水部５２０へ導かれる排水が旋回流を打ち消す方向へ流入し難いので、一時保水部５２０内で毛髪等がまとまり易い。
【００６６】
また、下部排水流出部５２２の排水流出流量を超える排水が一時保水部５２０に流入すると、排水は、一時保水部５２０に入りきらず、毛髪Ｈ１等の流出が抑止されながら上部排水流出部５３０から流出する。排水に泡が生じている場合には、緩やかな傾きG1を有する上部排水流出部の排水流出孔群５３１から泡が排出される。図１５（ｂ）は、排水が上縁部５２１ａを超えて位置Ｌ５にまで上昇していることを示している。このとき、下部排水流出部５２２から流出した排水が流れ方向Ｄ５４へ落下するとともに、排水流出孔群５３１から流出した排水が流れ方向Ｄ５５へ落下する。一時保水部５２０内の排水中の毛髪等は集まって浮遊し旋回しているため、上部排水流出部の孔５３２から流出しようとする毛髪等は少ない。
【００６７】
一時保水部５２０に排水が流入しなくなると、毛髪Ｈ１等が浮遊して集まった排水が下部排水流出部５２２から流出し、図１５（ｃ）に示すように毛髪Ｈ１等がまとまった状態で一時保水部５２０内に残存する。従って、ヘアキャッチャー５１０を裏返すと、上下逆にされた一時保水部５２０から毛髪等が容易に落下する。さらに、一時保水部の孔が少ないので、毛髪等が一時保水部に絡み付かず、容易に毛髪等を除去することができる。
また、本ヘアキャッチャー５１０は、排水流出孔群５３１に直接排水が流れ込み難い。
さらに、本ヘアキャッチャー５１０は、締め付けフランジ１４０の内径とほぼ同じ外径のコンパクトな大きさで上述した良好な毛髪除去性及び清掃性並びに安定した排水能力を得ることができる。
従って、本ヘアキャッチャー５１０によると、ヘアキャッチャーを設ける排水トラップに特別な構造を設ける必要が無く、コンパクトな大きさで良好な毛髪除去性及び良好な清掃性並びに安定した排水能力を得ることが可能となる。
【００６８】
なお、一時保水部の底部に設けられる凸部の凸とされた形状には、膨出した形状や突出した形状等が含まれる。
一時保水部の底部に設けられる凸部の最上部は、下部排水流出部の平面図形の重心からずれていてもよい。
一時保水部の底部には、上述した凸部が複数設けられてもよい。
一時保水部の水抜き孔は、凸部全体にわたって設けられるのみならず、一時保水部の最下部のみ等、凸部の周囲にのみ設けられてもよい。
上部排水流出部に設けられる排水流出孔群は、複数のみならず、単数でもよい。上部排水流出部に一つのみ排水流出孔群が設けられる場合、該排水流出孔群が一時保水部の周りの一周近くにわたって配置され、該排水流出孔群の右回り方向の縁部と該排水流出孔群の左回り方向の縁部とで挟まれた位置に流入部が設けられてもよい。この場合の流入部も、上部排水流出部の排水流出孔群同士で挟まれた位置で上部排水流出部の外縁と一時保水部の上部とを繋ぐ部位となる。
上部排水流出部には、上記排水流出孔群の代わりに、単一の孔で構成される排水流出孔が設けられてもよい。従って、上部排水流出部に設けられる孔は、複数のみならず、単数でもよい。
【００６９】
（３）変形例：
本発明のヘアキャッチャーは、種々の変形例が考えられる。
ヘアキャッチャーを構成する各部は、全て一体化されていてもよいし、独立した部材で構成されてもよい。
洗い場及び浴槽に対するヘアキャッチャーの向きは、上述した実施形態に限定されず、例えば、鉛直に向いた仮想の回転軸ＡＸ１，ＡＸ２，ＡＸ５を中心として３６０°全ての向きに変更可能である。従って、洗い場からの排水を一時保水部へ通す流入口は、第一及び第二の実施形態のように洗い場側に配置される以外にも、浴槽側に配置されてもよいし、洗い場側と浴槽側との中間的な位置等に配置されてもよい。
洗い場からの排水を一時保水部へ通す流入口は、立壁部（５０，５５０）や第二の立壁部（２５０）や上部排水流出部（２３０）に設けられる隙間以外にも、これらの部位に設けられる開口等でもよい。
上記下部排水流出部や上記上部排水流出部は、複数の孔で形成する以外にも、繊維や針金等を編んで形成した網で構成したり、複数のスリットで形成したりすることが可能である。
上記上部排水流出部の外側に配置される立壁部や第二の立壁部は、鉛直方向に延出した形状以外にも、鉛直方向からずれた方向に延出した形状等でもよい。
【００７０】
上記排水導入部が一時保水部内に発生させる旋回流は、上述した実施形態とは逆の右回りでもよい。また、旋回流の回転軸ＡＸ１，ＡＸ２，ＡＸ５の向きは、鉛直方向から斜めにずれた方向でもよく、水平方向でもよい。
上記排水導入部が一時保水部内へ排水を導く方向は、一時保水部壁部の内周面に沿う方向以外とすることができる。例えば、排水を導く方向を下部排水流出部に向かう方向とすると、一時保水部内で水平に向いた回転軸を中心とするような旋回流が発生すると考えられる。この場合も、一時保水部内で毛髪等が浮遊しながら旋回して集まり、毛髪等がまとまった状態で一時保水部内に残存して、良好な毛髪除去性を得ることができると考えられる。
上記一時保水部が上下逆の角錐の形状、又は、上下逆の角錐の頂点及び稜線を丸くしたような形状である場合、上記排水導入部は一時保水部壁部の水平断面の辺に沿った方向へ洗い場からの排水を導いてもよい。
【００７１】
上記排水導入部が旋回流を発生させないように洗い場からの排水を一時保水部へ導く場合でも、一時保水部内で一時的に溜まった排水の中で毛髪等が浮遊して集まり、下部排水流出部から排水が抜け落ちたときに毛髪等が集まった状態で一時保水部内に残存する。従って、良好な毛髪除去性及び安定した排水能力を得る効果が得られる。
【００７２】
上記排水導入部が洗い場からの排水を一時保水部へ導けば本発明の基本的な効果が得られるので、第一の実施形態のフランジ部７０や第二の実施形態の案内部２７０を有していないヘアキャッチャー等も、本発明の作用、効果を奏する。むろん、排水トラップを構成する締め付けフランジ等の部材にヘアキャッチャーを取り付ける操作を行うための把手等の部位を有するヘアキャッチャーも、本発明の作用、効果を奏する。
【００７３】
また、流入した排水を保水する凹状の保水部は、上述した下部排水流出部を有する一時保水部のみならず、下部排水流出部（２２，２２２，５２２）の無い保水部でもよい。下部排水流出部が無い場合、保水部（２０，２２０，５２０）に流入した排水は、全て上部排水流出部（３０，２３０，５３０）から流出することになる。ここで、毛髪の比重が１．２〜１．３程度と水の比重よりも大きいため、保水部の中で毛髪には沈む力が加わる。これにより、保水部に入りきらない排水が上部排水流出部から流出する際に流出しようとする毛髪は少ない。また、毛髪が上部排水流出部へ移動しても、排水は単に上部排水流出部からオーバーフローする訳ではなく、上部排水流出部で毛髪の流出が抑止される。
一方、毛髪が細長いため、保水部内に溜まった排水の中で毛髪に加わる沈む力よりも排水の流れの影響の方が大きく、保水部内で毛髪が浮遊する。これにより、保水部内で毛髪等が集まり、毛髪等が集まった状態で保水部内に残存する。従って、捕集した毛髪等を容易に除去することができる。
また、洗い場からの排水が保水部へ導かれるので、上部排水流出部の閉塞が抑止され、安定した排水能力を得ることができる。
【００７４】
なお、本発明を適用可能な洗い場は、浴室の洗い場以外にも、洗面化粧台の排水トラップに繋がる洗面台、理容店や美容室の排水トラップに繋がる洗面台、等でもよい。
また、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【符号の説明】
【００７５】
１…排水トラップ、
１０，２１０，３１０，４１０，５１０…ヘアキャッチャー、
２０，２２０，５２０…一時保水部（保水部）、
２１，２２１，５２１…壁部、２１ａ，２２１ａ，５２１ａ…上縁部、
２２，２２２，５２２…下部排水流出部、２３，２２３，５２３…水抜き孔、
３０，２３０，５３０…上部排水流出部、３２，２３２，５３２…孔、
４０，２４０，５４０…排水導入部、
５０，５５０…立壁部、
５２，５５２…第一の分割立壁部、５４，５５４…第二の分割立壁部、
５６，２５６，５５６…流入口、
６０，２６０…傾斜部、
７０…フランジ部、７２…第一の領域、７４…第二の領域、７６，７７…隅部、
１１０…床材、１１２…排水桝、１２０…カバー、
１３０…トラップ本体、１４０…締め付けフランジ、１５０…封水筒、
２５０…第二の立壁部、２５２…水平延出部、２５４…下方延出部、
２７０…案内部、
３２４，４２４，５２４…凸部、
５２０ａ…一時保水部の最下部、５２４ａ…凸部の最上部、
５３０ａ…外縁部（上部排水流出部の外縁）、
５３１…排水流出孔群（孔群）、
５５３，５５５…区画部、
５６０…流入部、
ＡＸ１，ＡＸ２，ＡＸ５…仮想の回転軸、Ｂ１…浴槽、
ＣＥ１，ＣＥ２，ＣＥ５…下部排水流出部の平面図形の重心、
Ｄ１，Ｄ２，Ｄ５…旋回流の回転方向、
Ｄ１１〜Ｄ１５，Ｄ２２〜Ｄ２５，Ｄ５３〜Ｄ５５…排水の流れ方向、
Ｈ１…毛髪、Ｓ…封水面、Ｗ１…洗い場、
【図１】
2011163116.tif 000003
【図２】
2011163116.tif 000004
【図３】
2011163116.tif 000005
【図４】
2011163116.tif 000006
【図５】
2011163116.tif 000007
【図６】
2011163116.tif 000008
【図７】
2011163116.tif 000009
【図８】
2011163116.tif 000010
【図９】
2011163116.tif 000011
【図１０】
2011163116.tif 000012
【図１１】
2011163116.tif 000013
【図１２】
2011163116.tif 000014
【図１３】
2011163116.tif 000015
【図１４】
2011163116.tif 000016
【図１５】
2011163116.tif 000017
【図１６】
2011163116.tif 000018